(57)【要約】【課題】他のハンガーを連続的に係止することができ、連続的に配置されるハンガーによって衣服をコーディネートして吊るすことができるハンガーを提供することを課題としている。【解決手段】ハンガーにおける衣服を吊るす本体部２の前後少なくとも一方の面の上方位置に、他のハンガー１１のフック部１２を係止することができる突起９からなる係止部を設け、本体部２の突起突出側の面に、凹状に窪んだ座ぐり部８を設ける等によって少なくとも前後に２面を設け、突起９をこの突起突出側の最前面と最後面との間に設けた。あるいは上記突起からなる係止部を、本体部２の前後両面に設けた。【選択図】図１
2006296823.tif 000002
【特許請求の範囲】
【請求項１】
衣服を吊るす本体部（２）と、該本体部（２）を支持部材に係止するためのフック部（３）とを備えたハンガーの本体部（２）に、他のハンガー（１１）のフック部（１２）の係止が可能な係止部を設けたものにおいて、本体部（２）の前後少なくとも一方の面の上方位置に、突起（９）からなる係止部を設け、該突起（９）を、本体部（２）における突起突出側の最前面と最後面との間に配置したハンガー。
【請求項２】
本体部（２）の前後少なくとも一方の面の上方位置に凹状に窪んだ座ぐり部（８）を設け、該座ぐり部（８）内から突起（９）を突出させた請求項１のハンガー。
【請求項３】
座ぐり部（８）を本体部（２）の前後両面に設け、本体部（２）の前後両面側に係止部を設けた請求項２のハンガー
【発明の詳細な説明】
【技術分野】
【０００１】
本発明は、衣服等を吊るすハンガーに関する。
【背景技術】
【０００２】
従来衣服を吊るす本体部と、該本体部を支持部材に係止するためのフック部とを備えた
ハンガーが公知となっている。さらに前記構成のハンガーに、他のハンガーのフック部の係止が可能な係止部を本体部に設けたものが公知となっている（例えば特許文献１及び特許文献２参照）。
【０００３】
上記ハンガーを使用して、例えば上記ハンガーにジャケットを吊るした場合に、シャツを吊るしたハンガーを、ジャケットを吊るしたハンガーに係止すると、ジャケットの中にシャツが配置され、衣服の組み合わせ状態（コーディネート）をハンガーに吊るして確認することが可能となる。
【特許文献１】特開２００４−２４８９５３号公報
【特許文献２】特開２００２−１３６４１５号公報
【発明の開示】
【発明が解決しようとする課題】
【０００４】
上記ハンガーの係止部はリング状をなし、下方側のハンガーのフック部を通すような構造となっているため、下方側のハンガーの係止が容易ではないという欠点があった。また係止部となるリングが本体部の下方に配置されているため、下方側のハンガーの位置が上方側のハンガーに対して下方過ぎるため、内側の衣服（上記ジャケットとシャツの場合であればシャツ）が、外側の衣服（上記ジャケットとシャツの場合であればジャケット）に対して下方側に寄り、シャツとジャケットの位置関係が不自然となるという欠点があった。
【課題を解決するための手段】
【０００５】
上記課題を解決するための本発明のハンガーは、衣服を吊るす本体部２と、該本体部２を支持部材に係止するためのフック部３とを備えたハンガーの本体部２に、他のハンガー１１のフック部１２の係止が可能な係止部を設けたものにおいて、本体部２の前後少なくとも一方の面の上方位置に、突起９からなる係止部を設け、該突起９を、本体部２における突起突出側の最前面と最後面との間に配置したことを第１の特徴としている。
【０００６】
第２に本体部２の前後少なくとも一方の面の上方位置に凹状に窪んだ座ぐり部８を設け、該座ぐり部８内から突起９を突出させたことを特徴としている。
【０００７】
第３に座ぐり部８を本体部２の前後両面に設け、本体部２の前後両面側に係止部を設けたことを特徴としている。
【発明の効果】
【０００８】
以上のように構成される本発明の構造によると、１つの本発明のハンガーに対して係止部を介して他のハンガーを取り付けることができる。例えば所定のハンガーにジャケットを吊るした場合に、シャツを吊るしたハンガーを、ジャケットの上着を吊るしたハンガーに係止することができる。係止部が突起からなるため、他のハンガーの係止や取り外しを簡単に行うことができる。
【０００９】
これによって上下に連続するハンガーに衣服（ジャケットとシャツ）を吊るして、衣服を管理することができる他、ジャケットの中にシャツが配置され、衣服の組み合わせ状態（コーディネート）をハンガーに吊るして確認することができるという効果がある。また次の日に着る衣服を組み合わせて吊るしておくことができる。
【００１０】
本ハンガーの係止部は、本体部の前後少なくとも一方の面に形成された凹状に窪んだ座ぐり部から突出された突起等からなり、本体部における突起突出側の最前面と最後面との間に設けられている。
【００１１】
したがって係止部（突起）に係止される下方側のハンガーは、上方側のハンガーの前後方向の中央側に寄って配置される。このためシャツはハンガーに吊るされたジャケットの前後の中央側（前身頃と後身頃の中間位置）に寄り、人間がシャツとジャケットを着た場合の位置関係に近づき、コーディネートがよりリアルになるという利点がある。。
【００１２】
特に係止部が本体部の上方位置に配置されるため、内側の衣服（上記ジャケットとシャツの場合であればシャツ）が、外側の衣服（上記ジャケットとシャツの場合であればジャケット）に対して上方側に寄り、人間がシャツとジャケットを着た場合の位置関係にさらに近づき、コーディネートが一層リアルなものとなる。
【００１３】
なお座ぐり部を本体部の表裏両面に設け、本体部の表裏両面側に係止部を設けることによって、例えばジャケットを吊るしたハンガーの表裏両面側に、異なるシャツを吊るした２つのハンガーを係止することができる。この場合異なる２組のコーディネートを用意することができ、コーディネートを比較して簡単に確認することや、次の日に着る衣服の候補を２組吊るしておくことができる。
【発明を実施するための最良の形態】
【００１４】
図１，図２は、本発明のハンガー１の正面図及びＡ−Ａ側断面図である。なお背面図は正面図と同一となる。該ハンガー１は、従来同様に衣服を吊るすための略逆Ｖ字状をなす本体部２と、該本体部２から上方に突出したフック部３とを備えている。本体部２は、表裏両面が略平行な平面からなる。フック部３は金属製の棒材の湾曲により形成されるフック４と、該フック４の下方側が挿入されているボス部６とからなる。
【００１５】
フック４の下端部分はボス部６から突出しており、湾曲して抜け止めを形成している。フック４はボス部６に対して上下移動及び回動自在である。本体部２の中央上部（逆Ｖ字の突出部分）には、上記ボス部６の挿入用の穴７が設けられている。該穴７にボス部６を挿入固定することによって本体部２にフック部３が取り付けられている。
【００１６】
本体部２は所定の厚みを備えている。本体部２の前後両面には、左右中央上方位置（逆Ｖ字の突出部分）に窪んだ座ぐり部８がそれぞれ形成されている。両座ぐり部８内には、それぞれ突起９が設けられている。該突起９は本体部２の上端の近傍に位置する。突起９の先端には大径のヘッド１３が形成されている。ヘッド１３の裏面は本体部２の前面又は後面より前後方向に突出することはない。座ぐり部８は下方において開放されている。
【００１７】
図３に示されるように、該突起９に、他のハンガー１１のフック１２を係止することができる。また図４に示されるように、本体部２の前後両面側にそれぞれ突起９を介して他のハンガー１０を係止することができる。突起９に係止するハンガーは、本発明のハンガー１であっても、他のタイプのハンガーであってもよい。
【００１８】
例えば図３に示されるように、ネクタイやマフラー、スカーフ等を巻き付け等によって保持することができる保持部１４を設けたものとすることができる。なお図３に示されるハンガー１１には、更に下方に他のハンガーを係止することができるように、左右中央に窪み部１５を備えた棒状の係止棒１６も設けられている。
【００１９】
他のハンガー１１を係止するための係止部が上記突起９からなるため、他のハンガー１１の係止及び取り外しを、ループ等に通すことなく容易に行うことができる。ヘッド１３により他のハンガー１１が前後から抜けるようなことはない。
【００２０】
ヘッド１３の裏面が本体部２の前面又は後面より前又は後側に突出することがなく、上記のように突起９に他のハンガー１１のフック１２を係止した場合に、座ぐり部８の下方開放部分をフック１２が通過するため、本ハンガー１に係止される他のハンガー１１が、本ハンガー１の表面側及び裏面側に極端に突出することはない。
【００２１】
図５に示されるように、座ぐり部８を上方及び下方において開放するように形成することによって、本ハンガー１をプラスチックや樹脂等によって一体成形することもできる。この場合フック４のみによってフック部３を構成し、本体部２に回転自在に取り付けるようにすることもできる。なおフック４の本体部２への取付け方法は従来公知のハンガーと同じ方法をとることができるため、詳細な説明は割愛する。
【００２２】
本ハンガーは以上のように構成されており、図６に示されるように、例えば上方側の本ハンガー１にジャケットＪを吊るし、下方側のハンガー１１にシャツＳを吊るすと、上下連続するハンガーにジャケットＪとシャツＳとを組み合わせて吊るすことができる。またハンガー１１の保持部１４にネクタイＴを巻き付けて保持させることによってネクタイＴもシャツＳに組み合わせて吊るすことができる。
【００２３】
これによりジャケットＪとシャツＳとネクタイＴとを吊り下げ状態で、組み合わせ状態（コーディネート）を確認することができる。このとき上方側の本ハンガー１に連結される他のハンガー１１（２段目のハンガー）は、上方側の本ハンガー１の前後中心に近接した位置に配置されるため、シャツはＳ、ジャケットＪの前後の中央側（前身頃と後身頃の中間位置）に寄って配置される。
【００２４】
実際に人間がジャケットとシャツを着る場合、ジャケットの前後中心とシャツの前後中心とは、着た人の前後中心に一致する。上記のように本ハンガー１を使用することによって、上下両ハンガー１，１１に吊るした状態でシャツＳの前後中心がジャケットＪの前後中心に近づき、実際に人間が着た場合に近い状態でジャケットＪとシャツＳとが吊られる。
【００２５】
これによりジャケットＪ，シャツＳ，ネクタイＴのコーディネートを実際に人間が着た場合に近い状態で確認することができる。なお下方側のハンガー１１の係止棒１６にズボンを吊ることや、係止棒１６の窪み部１５に更に他のハンガーを係止し、該ハンガーにズボンを吊るすことによってズボンも同時に吊るすことができる。
【００２６】
なお突起９が本体部１の上端近傍に位置するため、該突起９に他のハンガー１１を係止すると、このハンガー１１は本ハンガー１に対して高位置に配置され、ハンガー１とハンガー１１とが近接する。このためジャケットＪに対するシャツＳの上下位置が下方に配置され過ぎるという不都合が防止される。ただし実際に人間が着た場合と比較すると、シャツＳはやや下方に配置されることになる。
【００２７】
また本ハンガー１の下方にはハンガーを前後に２つ係止することができる。従って上記ジャケットＪに対して２枚のシャツを前後に吊るすことができる。下方にハンガー１１を係止する場合は、各シャツに対してそれぞれネクタイを合わせて吊るすことができる。
【００２８】
これにより例えば所定のジャケットに対するシャツのコーディネートに迷った場合に、２枚のシャツを前後に吊るし、２組のコーディネートを容易に比較することができる。特に突起９に対するハンガーの着脱が容易であるため、前側のシャツを着けたり外したりすることによって、コーディネートの比較は容易となる。
【００２９】
一方突起に係止するハンガーを本発明のハンガー１や上記ハンガー１１とすることによって、さらに連続してハンガーを取り付けることも可能となる。この場合、２段目のハンガーの突起９や係止棒１６（窪み部１５）に係止するハンガーを、図７（ａ），（ｂ），（ｃ）に示されるような、ズボンやスカート等の腰から下にまとう衣服（裳）を吊るすことができるタイプのハンガー１７，１８，１９とすることによって、裳を含めた衣服一式を連続するハンガーに吊るして省スペースでコンパクトに管理することができる。
【００３０】
なお各ハンガー１７，１８，１９はピンチ２１によってズボンやスカート等を挟むことが可能なものとなっているが、従来公知のものであるため詳細な説明は割愛する。これにより裳を含めた衣服のコーディネートを容易に確認することができる。そして上記本ハンガー１を含む各ハンガー、例えばハンガー１とハンガー１１とハンガー１７，１８，１９を１組のハンガー組とすることもできる。
【００３１】
ハンガーには、図８（ａ），（ｂ）に示されるように、本体２２が弓状に湾曲又は屈曲したタイプのものがある。この場合、本体２２に穴２３を穿設し、該穴２３に上記ヘッド１３を備えた突起９を挿入固定し、突起９を後付けすることも可能である。この場合ヘッド１３の裏面が本体２２の表面２２ａの最外位置Ｌより内側に位置するように突起９を設けることによって、上記ハンガー１と同様の効果を得ることができる。ただしハンガーの前後両面側に他のハンガーを係止することはできず、前後一方の面側にのみ他のハンガーが連結して係止される。このため１組のコーディネートしか吊るすことができない。
【００３２】
逆に上段側のハンガーに対して、前後両面側に他のハンガーを係止することを目的とする場合であれば、突起９をハンガーの本体部２や本体２２の前後両面から直接突出させることもできる。前述のハンガー１においては、座ぐり部８を設けることなく、本体部２の前後両面から突起９を突出させることができる。ただし座ぐり部８から突起９を突出させる方が下段のハンガーの位置を、上段のハンガーの前後中央側に略垂直に位置させることができる。
【００３３】
一方フック４に図９（ａ），（ｂ）に示されるようなタグ２４を取り付けることもできる。従来タグは、ハンガーに一体的に形成されたり、各表示毎に複数種類用意され、各表示に合わせてハンガーに取り付けたりされていた。しかしハンガーに一体成形する場合はハンガーとタグとを別々に管理することはできず、常に予めタグに表示された用途の専用のハンガーとなるという欠点がある。また各表示毎にタグを複数種類用意する場合は、表示に合わせて多数のタグを予め在庫しておく必要があるという欠点があった。
【００３４】
上記タグ２４は、窓２６を備えた外筒２７と、表示が印刷された内筒２８とからなる。外筒２７はフック４を挿入するスリット２９が形成された略円筒形をなす。図１０に示されるように外筒内２７に内筒２８が回転自在に挿入されている。外筒２７の内周面側には所定間隔で突起３１が設けられている。外筒２７の上端側は大径となっており、該大径部分の周面にはローレットが形成されている。
【００３５】
内筒２８はフック４を挿入するスリット３２が形成された略円筒形をなす。内筒２８の周面２５には、外筒２７の窓２６に対応する位置に、所定の表示の印刷が施されている。内筒２８の外周面側には、上記突起３１に対応する凹部３３が形成されている。内筒２８の内径は本ハンガー１を含む種々のハンガーのフック４を、スリット３２によって弾力的に開くことによって挿入が可能であり、且つフック４の挿入後は戻り、フック４の抜けを規制する構造となっている。内筒２８の下端側は大径となっており、大径部分の周面にローレットが形成されている。
【００３６】
内筒２８は外筒２７に対して回転する。内筒２８と外筒２７の回転操作はそれぞれのローレットによって簡単に行うことができる。ただし突起３１と凹部３３との係合によってデテント機構が構成され、回転時にクリック感を伴う。内筒２８を回転させることによって窓２６から見ることができる表示が変化する。上記デテント機構によって止まる位置において、所定の表示が切り換えられて窓２６において表示される。
【００３７】
内筒２８に印刷される表示は、例えば服のサイズを示すＳ，Ｍ，Ｌ，ＬＬや、女性用の服のサイズ（号数）を示す数字や、曜日等が考えられる。Ｓ，Ｍ，Ｌ，ＬＬや号数の番号によって、ハンガーに吊るされている服のサイズを示すことができる。曜日を印刷することによって所定のコーディネートの服を着用する曜日を示すことができる。
【００３８】
なお１つのタグ２４の外筒２７又は内筒２８を回転させることにより表示（窓２６の表示）を変更することができ、表示毎に複数のタグ２４を用意する必要はない。またタグ２４がフック４に対して着脱自在であるため、タグ２４とハンガーとを別々に管理することができる。
【００３９】
上記タグ２４は、いかなるハンガーに使用することもできる。例えば本発明のハンガー１に使用する場合、フック４をボス部６を使用することなく本体部２に取り付けて、タグ２４を取り付けることも、ボス部６の上方位置においてタグ２４を取り付けることもできる。また図３に示されるような一体成形タイプのハンガー等に容易に使用することができる。
【００４０】
前述のように本ハンガー１によって、本ハンガー１の前後両面側に他のハンガーを連結して係止することができる。他のハンガーを前後両面に係止することができるハンガーとして図１１，図１２に示されるタイプのものも考えられる。
【００４１】
図１１，図１２に示されるハンガー３６は、フック３７から左右方向にピン３８，３９が突出した構造となっている。ただしフック３７は本体部４１に対して回動自在に取り付けられている。このためピン３６は本体部４１に対して回動して向きを変える。ピン３８，３９に他のハンガーのフックを係止することによってハンガー３６の前後両面に他のハンガーを係止することができる。
【００４２】
フック３７の基端部側にはタグＴが取り付けられている。なおタグＴとして上記タグ２４を使用することもできる。本体部４１には、左右にピンチ４２が取り付けられている。該ピンチ４２によって裳の他、アウタウェアと下着との間に着るシャツやセータ、ニット等を含む間服を吊るすことができる。
【００４３】
上記ハンガー３６には、他のハンガーを係止する係止体４３が着脱自在に取り付けられている。該係止体４３は、複数のリング４４ａが連続的に形成された受け部４４と、該受け部４４をハンガー３６のフック３７に取り付けるための取付部４６とからなる。
【００４４】
図１３に示されるように、受け部４４における所定のリング４４ａに他のハンガーのフックを係止することができる。図１３はズボン４７用のハンガー４８を最下段のリング４４ａに係止した状態を示す。
【００４５】
係止体４３は全体がシリコンやプラスティック等の樹脂、あるいはゴム等の弾性材からなる。取付部４６には、ハンガー３６のフック３７が通過する孔４６ａが設けられている。取付部４６には孔４６ａに至る切れ目４９が設けられている。
【００４６】
図１４に示されるように、取付部４６の切れ目４９を弾性変形の範囲で開き、開いた切れ目４９によってフック３７を孔４６ａに通し、切れ目４９を取付部４６の弾性変形により戻すことによって係止体４３がフック３７に取り付けられる。なお係止体４３は最低限孔４６ａの周辺のみを上記弾性体から構成すればよい。
【００４７】
上記構成によって係止体４３が取り付けられたハンガー３６は、ピン３８，３９の他に、受け部４４によって他のハンガーを係止することができる。受け部４４に係止される他のハンガーの、ハンガー３６に対する高さは、係止するリング４４ａを変更することによって調節される。また取付部４６の長さを変更することによっても受け部４４に係止される他のハンガーの、ハンガー３６に対する高さが調節される。
【００４８】
以上により図１５（ａ），（ｂ）に示されるように、上段のハンガー３６にジャケットＪを吊り下げ、ピン３８に下段のハンガーとして本ハンガー３６を係止してシャツＳを吊り下げ、ジャケットＪが吊り下げられた上段のハンガー３６に係止体４３を取り付け、係止体４３における最下段のリング４４ａにズボン用のハンガー４８を係止してズボン４７を吊り下げることによって、ジャケットＪとシャツＳとズボン４７を１組として上記のように多段に構成されるハンガーに吊り下げることができる。
【００４９】
シャツＳを吊り下げているハンガー（２段目のハンガー３６）は、ジャケットを吊り下げているハンガー（１段目のハンガー３６）に対して、上方位置に配置されるため、シャツＳのジャケットＪに対する高さ方向の位置は、人間がシャツとジャケットを着た場合の位置関係に近く、シャツＳがジャケットＪに対して不自然に低位置となることはない。
【００５０】
なおハンガー３６のピンチ４２に、セータ等の特に柔らかい素材からなる間服を吊るして１組のコーディネートとすることもできる。この場合ピンチ４２が本体部４１の上方側に位置しているため、上記間服の位置がコーディネート上不自然な低位置に配置されることはない。
【００５１】
一方図１５（ａ），（ｂ）に示されるように、係止体４３の長さを延長することによって、ズボン４７のジャケットＪに対する位置を、人間がジャケットを着、ズボンを穿いた場合に近い状態とすることができる。これによりコーディネート状態をリアルに判断することが可能となる。そしてハンガー４８に吊る裳の種類に応じてハンガー４８を係止するリング４４ａを変更したり、取付部４６の長さが異なる係止体４３を使用したりすることもできる。
【００５２】
なお上記係止体４３は、上記実施形態で説明したハンガー１，１１，１７，１８，１９や市販の各種ハンガーに使用することもできる。また用途に応じてリング４４ａの数や取付部４６の長さが異なるタイプの係止体４３を予め用意することもできる。
【図面の簡単な説明】
【００５３】
【図１】本ハンガーの正面図である。
【図２】図１のＡ−Ａ断面図である。
【図３】ハンガーを連結した状態を示す正面図である。
【図４】下方に２つのハンガーを連結した状態を示す側面図である。
【図５】本ハンガーの他の形状を示す正面図である。
【図６】連結されたハンガーに上着とシャツを吊るした状態を示す正面図である。
【図７】（ａ），（ｂ），（ｃ）は、それぞれ裳を吊るすタイプのハンガーの正面図である。
【図８】（ａ），（ｂ）は、従来のハンガーに突起を設ける状態を示す平面図及び正面図である。
【図９】（ａ）は、タグの平面図、（ｂ）はタグの正面図である。
【図１０】タグの分解断面図である。
【図１１】他の実施形態のハンガーの正面図である。
【図１２】他の実施形態のハンガーの背面図である。
【図１３】係止体の正面図である。
【図１４】係止体のフックへの取り付け方法を示す要部正面図である。
【図１５】（ａ），（ｂ）は、ハンガーを利用してジャケットとシャツとズボンを１組で吊るした状態を示す正面図及び背面図である。
【符号の説明】
【００５４】
２    本体部
３    フック部
９    突起
１１  ハンガー
１２  フック（フック部）
【図１】
2006296823.tif 000003
【図２】
2006296823.tif 000004
【図３】
2006296823.tif 000005
【図４】
2006296823.tif 000006
【図５】
2006296823.tif 000007
【図６】
2006296823.tif 000008
【図７】
2006296823.tif 000009
【図８】
2006296823.tif 000010
【図９】
2006296823.tif 000011
【図１０】
2006296823.tif 000012
【図１１】
2006296823.tif 000013
【図１２】
2006296823.tif 000014
【図１３】
2006296823.tif 000015
【図１４】
2006296823.tif 000016
【図１５】
2006296823.tif 000017